(57)【特許請求の範囲】
【請求項１】
外力により振動する板状または膜状の振動部と、
管状で一端を開口し他端を閉じた複数の共鳴部と
を有し、
各共鳴部は、並行に隣接して配置され、隣接する共鳴部の内部空間同士の間の少なくとも一部が前記振動部で区切られており、
隣接する共鳴部同士の一方の共鳴部内に発生する定在波の節の位置が、隣接する他方の共鳴部内に発生する定在波の節の位置とずれていること
を特徴とする吸音体。
【請求項２】
前記複数の共鳴部は、上下方向に隣接していることを特徴とする請求項１に記載の吸音体。
【請求項３】
前記複数の共鳴部は、左右方向にも隣接していることを特徴とする請求項２に記載の吸音体。
【請求項４】
隣接する共鳴部同士のうちの一方の第１共鳴部の開口端が向けられている方向と、他方の第２共鳴部の開口端が向けられている方向とが反対であることを特徴とする請求項１に記載の吸音体。
【請求項５】
隣接する共鳴部同士のうちの一方の第１共鳴部の延伸方向の長さは、他方の第２共鳴部の延伸方向の長さと同じであることを特徴とする請求項１に記載の吸音体。
【請求項６】
隣接する共鳴部同士のうちの一方の第１共鳴部の延伸方向の長さは、他方の第２共鳴部の延伸方向の長さと異なることを特徴とする請求項１に記載の吸音体。
【請求項７】
前記第１共鳴部の閉端の位置から前記第２共鳴部の閉端の位置までの距離をＤ１としたとき、次式の条件を満たすことを特徴とする請求項６に記載の吸音体。
【数１】
0005012532.tif 000009
【請求項８】
前記第１共鳴部の延伸方向の長さをＤ２としたとき、次式の条件を満たすことを特徴とする請求項７に記載の吸音体。
【数２】
0005012532.tif 000010
【請求項９】
前記各共鳴部の延伸方向における前記第１共鳴部の開口端の位置から前記第２共鳴部の開口端の位置までの距離をＤ３としたとき、次式の条件を満たすことを特徴とする請求項
８に記載の吸音体。
【数３】
0005012532.tif 000011
【請求項１０】
外力により振動する板状または膜状の振動部と、
管状で両端を開口した複数の共鳴部と
を有し、
前記各共鳴部は、並行に隣接して配置され、隣接する共鳴部の内部空間同士の間の少なくとも一部が前記振動部で区切られており、
隣接する共鳴部同士の一方の共鳴部内に発生する定在波の節の位置が、隣接する他方の共鳴部内に発生する定在波の節の位置とずれていること
を特徴とする吸音体。
【請求項１１】
外力により振動する板状または膜状の振動部と、
管状で一端を開口し他端を閉じた第１共鳴部と、
管状で両端を開口した第２共鳴部と
を有し、
前記第１共鳴部と前記第２共鳴部は、並行に隣接して配置され、隣接する共鳴部の内部空間同士の間の少なくとも一部が前記振動部で区切られており、
隣接する共鳴部同士の一方の共鳴部内に発生する定在波の節の位置が、隣接する他方の共鳴部内に発生する定在波の節の位置とずれていること
を特徴とする吸音体。
【請求項１２】
管状で一端を開口し他端を閉じた形状で、外力により振動する板状または膜状の振動部を管状の一部に有する第１共鳴部と、
管状で一端を開口し他端を閉じた形状で前記第１共鳴部を内部に有する第２共鳴部と
を有し、
前記第１共鳴部と前記第２共鳴部は、開口端を同じ方向に向けて並行に配置され、
前記第１共鳴部内に発生する定在波の節の位置と、前記第２共鳴部内に発生する定在波の節の位置とがずれていること
を特徴とする吸音体。
【請求項１３】
前記振動部の共振周波数と、前記定在波の周波数とが一致していることを特徴とする請求項１，１０，１１，１２のいずれかに記載の吸音体。
【請求項１４】
前記振動部の共振時の振動速度の腹または節の配置関係と、
前記定在波の音圧振幅の腹または節の配置関係とが対応していること
を特徴とする請求項１，１０，１１，１２のいずれかに記載の吸音体。
【請求項１５】
請求項１，１０，１１，１２のいずれかに記載の吸音体が並列に複数並べられている吸音体群。
【請求項１６】
請求項１，１０，１１，１２のいずれかに記載の吸音体を有する音響室。
【請求項１７】
請求項１５に記載の吸音体群を有する音響室。
【発明の詳細な説明】
【技術分野】
【０００１】
本発明は、音を吸音する技術に関する。
【背景技術】
【０００２】
共鳴を利用した吸音体としては、例えば、特許文献１に開示されている吸音体がある。
特許文献１に開示されている吸音体は、共鳴室と、共鳴室に連通する開口部を有するヘルムホルツ共鳴器で、共鳴室は、金属板により方形形状に形成されている。また、共鳴室を形成する壁面には、低減させる周波数の音に共振する共振部が設けられている。そして、音波が吸音体に到達すると共振部が共振し、音は共振部に衝突してエネルギーを消失して減衰する。また、共鳴部では共鳴室壁面での摩擦や開口部での音波の再放射による空気粒子間の粘性作用によりエネルギーを消費し、音を減衰させることができる。
【０００３】
【特許文献１】特開平１０−２７４９８８号公報
【発明の開示】
【発明が解決しようとする課題】
【０００４】
さて、特許文献１に開示されている吸音体においては、共鳴により吸音される音の周波数と、共振部で吸音される音の周波数とが異なっている。この吸音体においては、共鳴室の内部に定在波が発生し、定在波の腹となる部分と節となる部分が共鳴室内部に生じるが、共鳴の周波数と、共振部の周波数とが異なると、定在波の腹の部分と吸音体壁面の共振部とが干渉し、効率良く吸音を行えなくなる虞がある。
【０００５】
本発明は、上述した背景の下になされたものであり、共鳴のみを利用した吸音体と比べ、より効率良く吸音を行うことができる技術を提供することを目的とする。
【課題を解決するための手段】
【０００６】
上述した課題を解決するために本発明は、外力により振動する板状または膜状の振動部と、管状で一端を開口し他端を閉じた複数の共鳴部とを有し、各共鳴部は、並行に隣接して配置され、隣接する共鳴部の内部空間同士の間の少なくとも一部が前記振動部で区切られており、隣接する共鳴部同士の一方の共鳴部内に発生する定在波の節の位置が、隣接する他方の共鳴部内に発生する定在波の節の位置とずれていることを特徴とする吸音体を提供する。
【０００７】
本発明においては、前記複数の共鳴部は、上下方向に隣接していてもよい。
また、本発明においては、前記複数の共鳴部は、左右方向にも隣接してもよい。
また、本発明においては、隣接する共鳴部同士のうちの一方の第１共鳴部の開口端が向けられている方向と、他方の第２共鳴部の開口端が向けられている方向とが反対であってもよい。
また、本発明においては、隣接する共鳴部同士のうちの一方の第１共鳴部の延伸方向の長さは、他方の第２共鳴部の延伸方向の長さと同じであってもよい。
また、本発明においては、隣接する共鳴部同士のうちの一方の第１共鳴部の延伸方向の長さは、他方の第２共鳴部の延伸方向の長さと異なっていてもよい。
【０００８】
また、本発明においては、前記第１共鳴部の閉端の位置から前記第２共鳴部の閉端の位置までの距離をＤ１としたとき、次式の条件を満たすようにしてもよい。
【数１】
0005012532.tif 000002
【０００９】
また、本発明においては、前記第１共鳴部の延伸方向の長さをＤ２としたとき、次式の条件を満たすようにしてもよい。
【数２】
0005012532.tif 000003
【００１０】
また、本発明においては、前記各共鳴部の延伸方向における前記第１共鳴部の開口端の位置から前記第２共鳴部の開口端の位置までの距離をＤ３としたとき、次式の条件を満たすようにしてもよい。
【数３】
0005012532.tif 000004
【００１１】
また、本発明は、外力により振動する板状または膜状の振動部と、管状で両端を開口した複数の共鳴部とを有し、前記各共鳴部は、並行に隣接して配置され、隣接する共鳴部の内部空間同士の間の少なくとも一部が前記振動部で区切られており、隣接する共鳴部同士の一方の共鳴部内に発生する定在波の節の位置が、隣接する他方の共鳴部内に発生する定在波の節の位置とずれていることを特徴とする吸音体を提供する。
【００１２】
また、本発明は、外力により振動する板状または膜状の振動部と、管状で一端を開口し他端を閉じた第１共鳴部と、管状で両端を開口した第２共鳴部とを有し、前記第１共鳴部と前記第２共鳴部は、並行に隣接して配置され、隣接する共鳴部の内部空間同士の間の少なくとも一部が前記振動部で区切られており、隣接する共鳴部同士の一方の共鳴部内に発生する定在波の節の位置が、隣接する他方の共鳴部内に発生する定在波の節の位置とずれていることを特徴とする吸音体を提供する。
【００１３】
また、本発明は、管状で一端を開口し他端を閉じた形状で、外力により振動する板状または膜状の振動部を管状の一部に有する第１共鳴部と、管状で一端を開口し他端を閉じた形状で前記第１共鳴部を内部に有する第２共鳴部とを有し、前記第１共鳴部と前記第２共鳴部は、開口端を同じ方向に向けて並行に配置され、前記第１共鳴部内に発生する定在波の節の位置と、前記第２共鳴部内に発生する定在波の節の位置とがずれていることを特徴とする吸音体を提供する。
【００１４】
本発明の吸音体においては、前記振動部の共振周波数と、前記定在波の周波数とが一致していてもよい。
また、本発明の吸音体においては、前記振動部の共振時の振動の腹および節の位置と、前記定在波の腹および節の位置とが一致していてもよい。
【００１５】
また、本発明は、前記いずれかの吸音体が並列に複数並べられている吸音体群を提供する。
【００１６】
また、本発明は、前記吸音体のいずれかを有する音響室を提供する。
また、本発明は、前記吸音体群を有する音響室を提供する。
【発明の効果】
【００１７】
本発明によれば、共鳴のみを利用した吸音体と比べ、より効率良く吸音を行うことができる。
【発明を実施するための最良の形態】
【００１８】
［吸音体の構成］
図１（ａ）は、本発明の実施形態に係る吸音体１の正面図、図１（ｂ）は吸音体１の側面図、図２は、図１（ａ）のＡ−Ａ線断面図である。また、図３は、各部材の断面を示した図である。これらの図に示したように、吸音体１は、大別すると第１共鳴部１０、第２共鳴部２０および、振動部３０とにより形成されている。
【００１９】
第２共鳴部２０は、金属で管状または筒状に形成されており、一方を開口し、他方の開口部を閉じた形状（いわゆる閉管）であって、内部に柱状の第２内部空間２５を有している。また、第２共鳴部２０は、その上面に、第２内部空間２５に繋がる矩形の開口部２２を有している。第２内部空間２５の開口端２１から第２内部空間２５の固定端（端面２３）までの距離ｄ１［ｍ］は、吸音する音の周波数ｆ［Ｈｚ］、波長をλ［ｍ］とすると、数４の式の距離となっている（ｎ＝０，１，２，３，・・・）。
【数４】
0005012532.tif 000005
また、開口部２２の開口端２１側の端部から開口端２１までの距離はλ／４［ｍ］であり、開口部２２の端面２３側の端部から端面２３までの距離はλ／４［ｍ］となっている。そして、開口部２２の開口端２１側の端部から、開口部２２の端面２３側の端部までの距離ｄ２［ｍ］は、数５の式の距離となっている（ｍ＝０，１，２，３，・・・）。
【数５】
0005012532.tif 000006
【００２０】
振動部３０は、力が加えられると変形して振動する素材を矩形の薄い膜状に形成したものであり、開口部２２を塞ぐように開口部２２の端部に張力を掛けられた状態で固着されている。なお、振動部３０は、開口部２２の開口端２１側の端部と、開口部２２の端面２３側の端部に固着されず、開口端２１側の端部と端面２３側の端部は、変位可能としてもよい。即ち、前記変位可能な端部で振動部３０を支持する場合には、この支持部での摩擦ロスによっても吸音が発現する。また、振動部３０を、開口部２２の開口端２１側の端部と、開口部２２の端面２３側の端部に固着した場合、膜状（板状）に形成された振動部３０の内部における振動エネルギーのロスにより吸音が発現される（要するに部材内でもロスが発生して吸音がされる）。
【００２１】
第１共鳴部１０は、金属で管状または筒状に形成されており、一方を開口し、他方の開口部を閉じた形状（いわゆる閉管）であって、第２共鳴部２０と隣接する面（下面）を取り除いた形状となっている。なお、第１共鳴部１０を正面から見た時の左右方向の幅と、第２共鳴部２０を正面から見た時の左右方向の幅は同じであり、第１共鳴部１０を正面から見た時の上下方向の高さと、第２共鳴部２０を正面から見た時の上下方向の高さは同じとなっている。なお、第１共鳴部１０および第２共鳴部２０を形成する部材の素材は、振動部３０の振動が発現すればよいので、金属に限定されるものではなく、合成樹脂や木材など他の素材であってもよい。また、第１共鳴部１０および第２共鳴部２０の形状は、角管の形状に限定されるものではなく、多角形の管や円管など角管以外の形状であってもよい。
【００２２】
そして、第１共鳴部１０は、その側面が第２共鳴部２０の側面に繋がるように、下端面が第２共鳴部２０の上面に固着されている。このように第１共鳴部１０が第２共鳴部２０に固着されると、一方が閉じてもう一方が開口した柱状の第１内部空間１５が第１共鳴部１０と振動部３０とにより形成され、第１内部空間１５と第２内部空間２５が並行となる。
ここで、第１内部空間１５の開口端１１から第１内部空間１５の底面（端面１３）までの距離ｄ２は、吸音する音の周波数の波長をλとすると、数２の式の距離となっている。また、第１共鳴部１０を第２共鳴部２０に固着した際には、第２共鳴部２０の開口端２１から第１共鳴部１０の開口端１１までの距離はλ／４であり、端面２３から端面１３までの距離はλ／４となっている。
【００２３】
［吸音体の動作］
以上のように構成された吸音体１は、部屋の壁面、床または天井、車室、スピーカボックスの内外など、各種音場に配置される。
音場において、波長がλの音波が発生すると、発生した音波は、開口端１１から第１内部空間１５に入射し、開口端２１から第２内部空間２５に入射する。第１内部空間１５に入った音波は、端面１３で反射する。すると、開口端１１から入った音波（入射波）と端面１３で反射した音波（反射波）とが重なり合い、第１内部空間１５に定在波が発生する。また、第２内部空間２５に入った音波は、端面２３で反射する。すると、開口端２１から入った音波と端面２３で反射した音波とが重なり合い、第２内部空間２５に定在波が発生する。
【００２４】
図４（ａ）は、これらの定在波の音圧振幅を示した図である。なお、図４（ａ）において点線で示した波形は、定在波の音圧振幅を示している。図４（ａ）に示したように、ｎ＝２、ｍ＝２で、ｄ１＝５λ／４、ｄ２＝３λ／４の場合、第１内部空間１５においては、音圧振幅の腹（最大値）が端面１３の位置と端面からλ／２離れた位置に表れ、音圧振幅の節（最小値）が開口端１１の位置と、端面１３からλ／４離れた位置に表れる。また、第２内部空間２５においても、音圧振幅の腹が端面２３、端面２３からλ／２離れた位置、端面２３からλ離れた位置に表れ、音圧振幅の節が開口端２１、端面２３からλ／４離れた位置、端面２３から３λ／４離れた位置に表れる。ここで、端面１３と端面２３の位置は、上述したように水平方向にλ／４の距離だけずれているため、第１内部空間１５における定在波の音圧振幅の腹の位置と、第２内部空間２５における定在波の音圧振幅の腹の位置とは、互いにλ／４だけずれている。
【００２５】
ここで、音圧振幅の節の部分においては圧力が変化しないため、振動部３０を挟んで一方の内部空間の節の部分と、他方の内部空間における腹の部分の圧力との間に圧力差が生じ、振動部３０が変位することとなる。また、定在波の腹のある点における音圧の瞬時値は、音圧の時間項（ｓｉｎ（ωｔ）、ω：角速度、ｔ：時間）に従い正負の値を周期的にとる。
例えば、端面２３からλ／２離れた位置においては、第１内部空間１５では音圧振幅の節が表れ、第２内部空間２５においては音圧振幅の腹が表れる。第２内部空間２５において端面２３からλ／２離れた位置の音圧が最大値（正の値）となると、第２内部空間の音圧が第１内部空間１５の音圧より高くなるため、膜状の振動部３０において端面２３からλ／２離れた部分が音圧差により第１内部空間１５側へ押し上げられる。また、第２内部空間２５において端面２３からλ／２離れた位置の音圧が前記最大値の負の値となると、第２内部空間の音圧が第１内部空間１５の音圧より低くなるため、振動部３０において端面２３からλ／２離れた部分が音圧差により第２内部空間２５側へ押し下げられる。即ち、振動部３０は、第１内部空間１５と第２内部空間２５との圧力差により振動することとなる。これは、第１内部空間１５と第２内部空間とで他に音圧振幅の腹と節がずれている部分（端面２３からλ／４離れた位置、端面２３から３λ／４離れた位置、端面２３からλ離れた位置）においても同様である。
【００２６】
このように、吸音体１に音波が入ると、第２内部空間２５内において音圧振幅の腹と節となる位置上の振動部３０は、第１内部空間１５側と第２内部空間２５側へ変位して振動し、音響エネルギーを振動エネルギー（熱エネルギー）として消費するため、単に管の共鳴のみを利用して音を吸音する場合と比較して、効率良く音波を減衰させることができる。
【００２７】
なお、図４（ｂ）は、数４，５におけるｎ，ｍがｎ＝１，ｍ＝１で、ｄ１＝３λ／４、ｄ２＝λ／４の場合における定在波の音圧振幅を示しており、図４（ｃ）は、数４，５におけるｎ，ｍがｎ＝３，ｍ＝３で、ｄ１＝７λ／４、ｄ２＝５λ／４の場合における定在波の音圧振幅を示しているが、これらの場合においても、図４（ａ）の場合と同様に、第１内部空間１５における音圧振幅の腹および節の位置と、第２内部空間２５における音圧振幅の腹および節の位置とがλ／４ずつずれている。
このため、図４（ｂ）や図４（ｃ）の場合においても、吸音体１に音波が入ると、第２内部空間２５内において音圧振幅の腹と節となる位置上の振動部３０は、第１内部空間１５側と第２内部空間２５側へ変位して振動し、効率良く音波を減衰させることができる。
【００２８】
また、本実施形態においては、振動部３０の共振周波数を、定在波を生成した音波の周波数と略一致させることで振動部３０の振動を増大させ、本吸音体１の吸音力のピークを一層増大させることができる。また、振動部３０の共振時における管の延伸方向の振動速度の振幅のパターン（腹と節の位置や数の配置関係）を、生成させた定在波の音圧振幅のパターン（腹と節の位置や数の配置関係）と略対応させて振動部３０の共振の発生をより強く促すことにより、本吸音体１の吸音力のピークを一層増大させることもできる。
なお、上記振動板３０の共振周波数を、定在波を生成した音波の周波数とは敢えて一致させないで、本吸音体１の吸音力を広帯域に増大させるように制御してもよい。
また、吸音体１においては、音波が第１内部空間１５と第２内部空間２５に進入すると、第１共鳴部１０と第２共鳴部２０は音波と共鳴することとなり、第１内部空間１５と第２内部空間２５では、音波が振動を繰り返すうちに第１共鳴部１０と第２共鳴部２０の壁面での摩擦や開口端での空気粒子間の粘性作用によりエネルギーを消費し、音波を減衰させることができる。
【００２９】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３０】
上述した実施形態においては、振動部３０は膜状となっているが、第１内部空間１５内と第２内部空間２５内との音圧差により振動するのであれば、外力を受けると振動する素材を板状に形成した形状であってもよい。また、膜状の振動部に付加する張力は付加しなくてもよい。付加する張力の有無、大きさは、吸音する周波数の設定により適宜設計される。
なお、本明細書において板状や膜状とは、外力により屈曲振動するものであり、例えば、剛性が低い（ヤング率が低い、厚さが薄い、断面二次モーメントが小さい）、あるいは機械インピーダンス（８×（曲げ剛性×面密度）１／２）の値が小さい場合である。
【００３１】
吸音体１においては、図５に示したように、第２共鳴部２０の形状を、上面を取り除いた形状としてもよい。そして、この凹型の第２共鳴部２０の上端面に振動部３０を張力を掛けた状態で固着し、振動部３０の上に第１共鳴部１０を固着するようにしてもよい。
【００３２】
上述した実施形態においては、第１共鳴部１０を第２共鳴部２０の上面に固着する際には、開口端２１から開口端１１までの距離と、端面１３から端面２３までの距離はλ／４としたが、本願発明は、これに限定されるものではなく、振動部３０が、第１内部空間１５内の音圧と第２内部空間２５内の音圧との差で振動するのであれば、λ／４以外の距離となるようにしてもよい。
【００３３】
本発明においては、図６に示したように、複数の吸音体１の各内部空間が並行となり、各開口端が同一方向を向くように吸音体１を複数並列に束ねてもよい。
また、本発明においては、図７に示したように、内部に空間を有する共鳴部４０，５０，６０を上下方向の同列に複数重ねてもよい。そして、上側の共鳴部と下側の共鳴部との間に振動部３０を介在させ、上側共鳴部の内部空間の音圧と下側共鳴部の内部空間の音圧の差により振動部３０が振動するようにしてもよい。なお、図７においては、上下方向に重ねる共鳴部の数は３つとなっているが、重ねる数は３つに限定されるものではなく、４つ以上重ねてもよい。また、図７のように共鳴部を上下方向の同列に複数重ねた吸音体を、図６と同様に各共鳴部の内部空間が並行となるように左右方向に並列に束ねてもよい。なお、図７において点線で図示されている波形は、定在波の音圧振幅の波形である。
【００３４】
吸音体１においては、図８に示したように、第２共鳴部２０の別の側面にも一つ以上の第１共鳴部１０を固着させ、側面の第１共鳴部１０と第２共鳴部２０との間に振動部３０を介在させてもよい。
【００３５】
上述した実施形態においては、第１共鳴部１０と第２共鳴部２０の内部空間の一方の端部のみが外部に通じているが、図９に示したように内部空間の両端が外部に通じるような形状（管の両端が開いたいわゆる開管）にしてもよい。この場合、第１共鳴部１０の内部空間の開口端間の距離ｄ３は、数６の式の距離に設定され、第２共鳴部２０の内部空間の開口端間の距離ｄ４は、数７の式の距離となる（ｎ＝０，１，２，３，・・・、ｍ＝０，１，２，３，・・・）。
【数６】
0005012532.tif 000007
【数７】
0005012532.tif 000008
【００３６】
上述した実施形態においては、第１共鳴部１０と第２共鳴部２０の長さが異なっているが、各共鳴部の長さは同じとして、開口端の位置をずらした配置であってもよい。この場合、図１０に示したように、第１共鳴部１０の開口端から第２共鳴部２０の開口端までの距離はλ／４とし、第１内部空間１５と第２内部空間２５とが重なる領域に振動部３０を介在させてもよい。なお、図１０においては、点線で図示されている波形は、定在波の音圧振幅の波形である。この構成においても、第１共鳴部１０で生じる定在波の腹の位置が、第２共鳴部２０で生じる定在波の節の位置とずれているため、上述した実施形態と同様に振動部３０が振動して音が効率良く吸音されることとなる。
【００３７】
上述した実施形態においては、第１共鳴部１０の開口端１１と第２共鳴部２０の開口端２１とが同じ方向に向けられているが、開口端１１が向く方向を開口端２１が向いている方向と反対方向にしてもよい。この場合、図１１（ａ）に示したように、内部空間の延伸方向における開口端１１と端面２３の位置を同じ位置とし、第１内部空間１５と第２内部空間２５とが重なる領域に振動部３０を介在させてもよい。なお、図１１（ａ）においては、定在波の音圧振幅の波形が点線で図示されている。この構成においても、第１共鳴部１０で生じる定在波の腹の位置が、第２共鳴部２０で生じる定在波の節の位置とずれているため、上述した実施形態と同様に振動部３０が振動して音が効率良く吸音されることとなる。
なお、開口端１１が向く方向を開口端２１が向いている方向と反対方向にする構成においては、図１１（ｂ）に示したように、第１共鳴部１０の長さと第２共鳴部２０の長さを同じとしてもよい。
また、図１１（ｃ）に示したように、端面１３の位置と開口端２１の位置を同じとしてもよい。
また、図１１（ｄ）に示したように、開口端１１の位置は、端面２３の位置からλ／２だけ離れた位置であってもよい。
【００３８】
なお、本発明においては、閉管と閉管、開管と開管との組合せだけでなく、閉管と開管とを組み合わせてもよい。なお、開管と閉管とを組み合わせる場合、閉管内に発生する定在波の腹および節の位置と、開管内に発生する定在波の腹および節の位置とがλ／４だけずれているのが好ましい。
また、本実施形態における吸音体および吸音体を連結した吸音体群は、音響特性を制御する各種の音響室に配置することが可能である。ここで各種音響室とは、防音室、ホール、劇場、音響機器のリスニングルーム、会議室等の居室、車両などの各種輸送機器の空間、スピーカや楽器などの筐体などである。なお、スピーカに配置する場合には、エンクロージャの側面、背面、底面などに配置してもよい。
【００３９】
上述した実施形態においては、第１共鳴部１０と第２共鳴部２０とが上下に重なっているが、図１２，１３に示したように、第２共鳴部２０Ａの内部に第１共鳴部１０Ａを配置する構成としてもよい。
第２共鳴部２０Ａは、金属で管状または筒状に形成されており、一方を開口し、他方の開口部を閉じた形状（いわゆる閉管）であって、内部に柱状の第２内部空間２５Ａを有している。
第１共鳴部１０Ａは、一方を開口し、他方の開口部を閉じた形状となっており、金属で形成されている非振動部１６と、力が加えられると変形して振動する素材で形成されている振動部１７とを有している。また、第１共鳴部１０Ａは、内部に柱状の第１内部空間１５Ａを有している。
【００４０】
ここで、第２内部空間２５Ａの開口端から第２内部空間２５Ａの底面までの距離Ｄ１は、吸音する音の周波数の波長をλとすると、数１の式の距離となっている。
また、第１共鳴部１０Ａは、非振動部１６の部分が第２共鳴部２０Ａの外側に位置しており、振動部１７の部分が第２共鳴部２０Ａの内部に位置している。
そして、第２共鳴部２０Ａの開口端から第１内部空間１５Ａの底面までの距離Ｄ２は、吸音する音の周波数の波長をλとすると、数２の式の距離となっている。
ここで、第１内部空間１５Ａの底面から第２内部空間２５Ａの底面までの距離はλ／４となっている。または、第１共鳴部１０Ａの開口端から振動部１７までの距離（即ち飛び出している非振動部１６の長さ）はλ／４となっている。但し、前記非振動部１６の飛び出しがなく、第１共鳴部の開口端が第２内部空間２５Ａの内部に入り込んだ場合では、第１共鳴部の開口端の境界条件と該開口端位置に相当する第２共鳴部の部位の境界条件とが整合しないので、第１共鳴部の開口端が第２内部空間２５Ａの内部に入り込んだ場合は除くこととする。
本変形例においても、第１共鳴部１０Ａと第２共鳴部２０Ａに音波が入ると、第２内部空間２５Ａ内において音圧振幅の腹と節となる位置上の振動部１７は、第１内部空間１５Ａ側と第２内部空間２５Ａ側へ変位して振動し、効率良く音波を減衰させることができる。
【図面の簡単な説明】
【００４１】
【図１】本発明の一実施形態に係る吸音体の正面図と側面図である。
【図２】図１のＡ−Ａ線断面図である。
【図３】吸音体１の各部材毎の断面図である。
【図４】吸音体１内に生じる定在波の音圧振幅を示した図である。
【図５】本発明の変形例に係る吸音体１の分解斜視図である。
【図６】本発明の変形例に係る吸音体１の斜視図である。
【図７】本発明の変形例に係る吸音体１の断面図である。
【図８】本発明の変形例に係る吸音体１の斜視図である。
【図９】本発明の変形例に係る吸音体１の断面図である。
【図１０】本発明の変形例に係る吸音体１の断面図である。
【図１１】本発明の変形例に係る吸音体１の断面図である。
【図１２】本発明の変形例に係る吸音体１の外観図である。
【図１３】本発明の変形例に係る吸音体１の断面図である。
【符号の説明】
【００４２】
１・・・吸音体、１０・・・第１共鳴部、１１・・・開口端、１３・・・端面、１５・・・第１内部空間、２０・・・第２共鳴部、２１・・・開口端、２３・・・端面、２５・・・第２内部空間、３０・・・振動部
【図１】
0005012532.tif 000012
【図２】
0005012532.tif 000013
【図３】
0005012532.tif 000014
【図４】
0005012532.tif 000015
【図５】
0005012532.tif 000016
【図６】
0005012532.tif 000017
【図７】
0005012532.tif 000018
【図８】
0005012532.tif 000019
【図９】
0005012532.tif 000020
【図１０】
0005012532.tif 000021
【図１１】
0005012532.tif 000022
【図１２】
0005012532.tif 000023
【図１３】
0005012532.tif 000024